(57)【要約】【課題】  従来と比較して大幅に小型化することができると共に、アーチ形状等の形状やその他の意匠を多種多彩なものとして全体の意匠性を向上することができる蔓性ミニバラの鉢物の提供。【解決手段】  蔓性ミニバラの鉢物は、２個の小容器２０と、２個の小容器２０にそれぞれ植え付けた蔓性ミニバラ１０と、２個の小容器２０を収容保持する大容器３０と、２個の小容器２０間を掛け渡すよう小容器２０間に一体的に取付けられ、２個の小容器２０に植え付けた蔓性ミニバラ１０を、それらが一体となって小容器２０間を掛け渡すアーチ形状を形成するよう誘引支持する心棒４０とを備える。【選択図】  図１
2005168391.tif 000002
【特許請求の範囲】
【請求項１】
複数の栽培位置にそれぞれ植え付けた蔓性ミニバラと、
前記複数の栽培位置間を掛け渡すよう前記複数の栽培位置間に一体的に取付けられ、前記複数の栽培位置にそれぞれ植え付けた複数の蔓性ミニバラを、それらが一体となって前記複数の栽培位置間を掛け渡す所定の二次元形状または三次元形状からなる意匠形状を形成するよう誘引支持する支持体と
を備えることを特徴とする蔓性ミニバラの装飾品。
前記複数の栽培位置は、栽培地の用土の離間した複数の地点とすることもできる。
或いは、前記複数の栽培位置は、大容器中の用土における離間した複数の地点とすることもできる。
或いは、前記複数の栽培位置は、別個に設けた対応する複数の小容器中の用土のそれぞれの任意位置とすることもできる。
【請求項２】
複数の小容器と、
前記複数の小容器にそれぞれ植え付けた蔓性ミニバラと、
前記複数の小容器間を掛け渡すよう前記複数の小容器間に一体的に取付けられ、前記複数の小容器に植え付けた蔓性ミニバラを、それらが一体となって前記複数の小容器間を掛け渡す所定の二次元形状または三次元形状からなる意匠形状を形成するよう誘引支持する支持体と
を備えることを特徴とする蔓性ミニバラの装飾品。
小容器に植えつけて栽培した後、その小容器を蔓性ミニバラから取り外し、蔓性ミニバラを別の容器（大容器）等に移植（植え替え）してもよい。
【請求項３】
前記支持体により前記複数の小容器間を掛け渡す所定の二次元形状または三次元形状からなる意匠形状を形成するよう誘引支持された前記複数の蔓性ミニバラから、前記小容器を取外し、前記複数の蔓性ミニバラを別の用土に植え替えたことを特徴とする請求項２記載の蔓性ミニバラの装飾品。
別の用土は、大容器中の用土とすることもでき、庭の花壇等に設けた用土とすることもできる。
【請求項４】
複数の小容器と、
前記複数の小容器にそれぞれ植え付けた蔓性ミニバラと、
前記複数の小容器を収容保持する大容器と、
前記複数の小容器間を掛け渡すよう前記複数の小容器間に一体的に取付けられ、前記複数の小容器に植え付けた蔓性ミニバラを、それらが一体となって前記複数の小容器間を掛け渡す所定の二次元形状または三次元形状からなる意匠形状を形成するよう誘引支持する支持体と
を備えることを特徴とする蔓性ミニバラの鉢物。
【請求項５】
前記蔓性ミニバラは、蔓性ミニバラの挿し穂を挿し木して栽培したものであることを特徴とする請求項４記載の蔓性ミニバラの鉢物。
【請求項６】
前記蔓性ミニバラは、前記小容器に挿し木した後、花芽形成前は全体を倒伏状態として栽培し、花芽形成後に全体を起立状態として栽培したものであることを特徴とする請求項６記載の蔓性ミニバラの鉢物。
【請求項７】
前記複数の小容器には、前記蔓性ミニバラとして、花の色が異なる蔓性ミニバラを栽培し、前期複数の小容器から前記花の色が異なる蔓性ミニバラがそれぞれ伸びてそれらの略中央部で出会うよう、前記蔓性ミニバラを前記支持体に誘引支持したことを特徴とする請求項６記載の蔓性ミニバラの鉢物。
【請求項８】
前記支持体は、少なくとも、前記蔓性ミニバラの前記意匠形状に対応する所定の二次元形状または三次元形状をなし、複数の先端部をそれぞれ前記複数の小容器の用土中に差し込んで取付けられ、前記複数の小容器間を掛け渡す心棒より構成され、
前記蔓性ミニバラは、前記心棒に前記意匠形状となるよう絡ませて誘引支持されていることを特徴とする請求項４乃至７のいずれか１項記載の蔓性ミニバラの鉢物。
【請求項９】
一対の前記小容器を前記大容器に収容し、
前記心棒を前記一対の小容器の一方から他方へと延びるアーチ形状とすると共に、その各先端部を前記一対の小容器の各々の用土中に差し込んで取付け、前記一対の小容器間を掛け渡すようにし、
前記一対の小容器の一方に植え付けた蔓性ミニバラと前記一対の小容器の他方に植え付けた蔓性ミニバラとを、前記心棒に絡んだ状態でアーチ状に誘引支持した
ことを特徴とする請求項８記載の蔓性ミニバラの鉢物。
【請求項１０】
更に、前記大容器において前記複数の小容器間に所定意匠の意匠部材を配置したことを特徴とする請求項４乃至９のいずれか１項記載の蔓性ミニバラの鉢物。
【請求項１１】
前記支持体は、前記蔓性ミニバラの前記意匠形状より大面積の略格子板状をなし、その下端側の複数の突起部分をそれぞれ前記複数の小容器の用土中に差し込んで取付けられ、前記複数の小容器間を掛け渡すトレリスより構成され、
前記蔓性ミニバラは、前記トレリスに前記意匠形状となるよう絡ませて誘引支持されていることを特徴とする請求項４乃至７のいずれか１項記載の蔓性ミニバラの鉢物。
【請求項１２】
前記小容器の数を４個として二対の前記小容器を前記大容器に収容し、
前記心棒の数を２本とし、かつ、前記各心棒の形状を、対をなす前記小容器間を掛け渡す形状として、前記２本の心棒の先端部を、それぞれ、前記二対の小容器の用土中に差し込んで取付け、前記二対の小容器間を前記２本の心棒で掛け渡すようにし、
前記各対の小容器の一方の小容器に植え付けた蔓性ミニバラと、前記各対の小容器の他方の小容器に植え付けた蔓性ミニバラとを、その対の前記小容器間を掛け渡す前記１本の心棒に絡ませた状態で誘引支持し、
前記２本の心棒及びそれら２本の心棒に誘引支持した前記蔓性ミニバラにより、それらの内部に収容空間を形成して、前記収容空間に所定意匠の意匠部材を配置した
ことを特徴とする請求項８記載の蔓性ミニバラの鉢物。
【請求項１３】
前記２本の心棒を、長さ方向略中央で互いに非直交状態で交差するよう、前記二対の小容器間にそれぞれ掛け渡し、
前記心棒の一端側で対応する２個の前記小容器が、前記心棒の一端側で互いに近接すると共に、前記心棒の他端側で対応する残りの２個の前記小容器が、前記心棒の他端側で互いに近接するよう、前記二対の小容器を前記大容器に収容配置し、
前記心棒の一端側及び他端側において、前記二対の小容器間に大面積の収容空間を形成した
ことを特徴とする請求項１２記載の蔓性ミニバラの鉢物。
【請求項１４】
前記小容器の数を２個として一対の前記小容器を前記大容器に収容し、
前記心棒の数を１本とし、かつ、前記心棒の形状を、対をなす前記小容器間を掛け渡す形状として、前記心棒の先端部を、それぞれ、前記一対の小容器の用土中に差し込んで取付け、前記一対の小容器間を前記１本の心棒で掛け渡すようにし、
前記一対の小容器の一方の小容器に植え付けた蔓性ミニバラと、前記一対の小容器の他方の小容器に植え付けた蔓性ミニバラとを、前記一対の前記小容器間を掛け渡す前記１本の心棒に絡ませた状態で誘引支持し、
前記１本の心棒及び前記１本の心棒に誘引支持した前記蔓性ミニバラの下方空間、前方空間及び後方空間のいずれか１以上に、所定意匠の意匠部材を配置した
ことを特徴とする請求項８記載の蔓性ミニバラの鉢物。
【請求項１５】
前記小容器の数を６個以上の偶数として三対以上の前記小容器を前記大容器に収容し、
前記心棒の数を前記小容器の数の半分の数となる３本以上とし、かつ、前記各心棒の形状を、対をなす前記小容器間を掛け渡す形状として、前記３本以上の心棒の先端部を、それぞれ、前記三対以上の小容器の用土中に差し込んで取付け、前記三対以上の小容器間を前記３本以上の心棒で掛け渡すようにし、
前記各対の小容器の一方の小容器に植え付けた蔓性ミニバラと、前記各対の小容器の他方の小容器に植え付けた蔓性ミニバラとを、その対の前記小容器間を掛け渡す前記１本の心棒に絡ませた状態で誘引支持し、
前記３本以上の心棒及びそれら３本以上の心棒に誘引支持した前記蔓性ミニバラにより、それらの内部に収容空間を形成して、前記収容空間に所定意匠の意匠部材を配置した
ことを特徴とする請求項８記載の蔓性ミニバラの鉢物。
【請求項１６】
複数の小容器にそれぞれ蔓性ミニバラを植え付けて育苗する育苗工程と、
前記複数の小容器間に前記蔓性ミニバラ誘引用の支持体を掛け渡して取付ける支持体取付工程と、
前記複数の小容器に育苗した蔓性ミニバラを、それらが一体となって前記複数の小容器間を掛け渡す所定の二次元形状または三次元形状からなる意匠形状を形成するよう前記支持体に誘引支持する誘引工程と
を備えることを特徴とする蔓性ミニバラの栽培方法。
【請求項１７】
複数の小容器にそれぞれ蔓性ミニバラの挿し穂を挿し木して所定期間育苗する育苗工程と、
前記複数の小容器間に前記蔓性ミニバラ誘引用の支持体を掛け渡して取付ける支持体取付工程と、
前記複数の小容器に挿し木して育苗した蔓性ミニバラを、それらが一体となって前記複数の小容器間を掛け渡す所定の二次元形状または三次元形状からなる意匠形状を形成するよう前記支持体に誘引支持する誘引工程と
を備える蔓性ミニバラの栽培方法。
【請求項１８】
複数の小容器にそれぞれ蔓性ミニバラの挿し穂を挿し木して所定期間育苗する育苗工程と、
前記複数の小容器間に前記蔓性ミニバラ誘引用の支持体を掛け渡して取付ける支持体取付工程と、
前記複数の小容器に挿し木して育苗した蔓性ミニバラを、それらが一体となって前記複数の小容器間を掛け渡す所定の二次元形状または三次元形状からなる意匠形状を形成するよう前記支持体に誘引支持する誘引工程と、
前記誘引工程後、前記蔓性ミニバラの休眠期において、前記小容器及び前記蔓性ミニバラを倒伏状態とし、前記蔓性ミニバラの全体に花芽を形成する花芽形成工程と、
前記花芽形成工程で前記蔓性ミニバラに花芽を形成した後、前記小容器及び前記蔓性ミニバラを起立状態とし、前記蔓性ミニバラの花芽を開花させる開花工程と
を備える蔓性ミニバラの栽培方法。
【請求項１９】
複数の小容器にそれぞれ蔓性ミニバラの挿し穂を挿し木して所定期間育苗する育苗工程と、
前記複数の小容器間に前記蔓性ミニバラ誘引用の支持体を掛け渡して取付ける支持体取付工程と、
前記複数の小容器に挿し木して育苗した蔓性ミニバラを、それらが一体となって前記複数の小容器間を掛け渡す所定の二次元形状または三次元形状からなる意匠形状を形成するよう前記支持体に誘引支持する誘引工程と、
前記誘引工程後、前記小容器及び前記蔓性ミニバラを倒伏状態とすると共に、前記蔓性ミニバラを冷蔵貯蔵して強制的に休眠期とし、前記蔓性ミニバラの全体に満遍なく花芽を形成する花芽形成工程と、
前記花芽形成工程で前記蔓性ミニバラに花芽を形成した後、前記小容器及び前記蔓性ミニバラを起立状態とすると共に常温環境に復帰し、前記蔓性ミニバラの花芽を開花させる開花工程と
を備える蔓性ミニバラの栽培方法。
【発明の詳細な説明】
【技術分野】
【０００１】
本発明は、蔓性ミニバラを使用してバラのアーチ等を形成してなる蔓性ミニバラの装飾品、蔓性ミニバラの鉢物、及び、かかる蔓性ミニバラの装飾品や鉢物に使用される蔓性ミニバラの栽培方法に関する。
【背景技術】
【０００２】
従来、バラのアーチに使用される蔓バラの品種は、大物であるため、これに従い、鉢物も全体が大きなものとなっている。また、従来のバラのアーチの鉢物では、一つの鉢に一本の蔓バラを植えているため、意匠（特に形状）が単調で、意匠性の点で改善する余地がある。更に、バラのアーチの鉢物は、そのアーチ形状も円形に限定されており、この点でも、近年の需要者や愛好家の趣味の多様性に鑑み、多種多様な形状等のバリエーションを提供できれば好都合である。
なお、本出願人等は、上記技術について特許庁電子図書館を使用した従来技術の検索を行ったが、関連すると思われる技術は発見されなかった。なお、同分野の技術文献として、以下の特許文献がある。
【特許文献１】特開２００１−２４５５３１号公報
【発明の開示】
【発明が解決しようとする課題】
【０００３】
そこで、本発明は、従来と比較して大幅に小型化することができると共に、アーチ形状等の形状やその他の意匠を多種多彩なものとして全体の意匠性を向上することができる蔓性ミニバラの装飾品、蔓性ミニバラの鉢物及びかかる蔓性ミニバラの装飾品や鉢物に使用される蔓性ミニバラの栽培方法の提供を課題とする。
【課題を解決するための手段】
【０００４】
請求項１に係る蔓性ミニバラの装飾品は、複数の栽培位置にそれぞれ植え付けた蔓性ミニバラと、前記複数の栽培位置間を掛け渡すよう前記複数の栽培位置間に一体的に取付けられ、前記複数の栽培位置にそれぞれ植え付けた複数の蔓性ミニバラを、それらが一体となって前記複数の栽培位置間を掛け渡す所定の二次元形状または三次元形状からなる意匠形状を形成するよう誘引支持する支持体とを備える。
【０００５】
ここで、前記複数の栽培位置は、栽培地の用土の離間した複数の地点とすることもできる。或いは、前記複数の栽培位置は、大容器中の用土における離間した複数の地点とすることもできる。或いは、前記複数の栽培位置は、別個に設けた対応する複数の小容器中の用土のそれぞれの任意位置とすることもできる。
【０００６】
請求項２に係る蔓性ミニバラの装飾品は、複数の小容器と、前記複数の小容器にそれぞれ植え付けた蔓性ミニバラと、前記複数の小容器間を掛け渡すよう前記複数の小容器間に一体的に取付けられ、前記複数の小容器に植え付けた蔓性ミニバラを、それらが一体となって前記複数の小容器間を掛け渡す所定の二次元形状または三次元形状からなる意匠形状を形成するよう誘引支持する支持体とを備える。
【０００７】
ここで、小容器に植えつけて栽培した後、その小容器を蔓性ミニバラから取り外し、蔓性ミニバラを別の容器（大容器）等に移植（植え替え）してもよい。
【０００８】
請求項３に係る蔓性ミニバラの装飾品は、請求項２の構成に加え、前記支持体により前記複数の小容器間を掛け渡す所定の二次元形状または三次元形状からなる意匠形状を形成するよう誘引支持された前記複数の蔓性ミニバラから、前記小容器を取外し、前記複数の蔓性ミニバラを別の用土に植え替えたものである。
【０００９】
ここで、前記別の用土は、大容器中の用土とすることもでき、庭の花壇等に設けた用土とすることもできる。
【００１０】
請求項４に係る蔓性ミニバラの鉢物は、複数の小容器と、前記複数の小容器にそれぞれ植え付けた蔓性ミニバラと、前記複数の小容器を収容保持する大容器と、前記複数の小容器間を掛け渡すよう前記複数の小容器間に一体的に取付けられ、前記複数の小容器に植え付けた蔓性ミニバラを、それらが一体となって前記複数の小容器間を掛け渡す所定の二次元形状または三次元形状からなる意匠形状を形成するよう誘引支持する支持体とを備える。
【００１１】
請求項５に係る蔓性ミニバラの鉢物は、請求項４の構成において、前記蔓性ミニバラが、蔓性ミニバラの挿し穂を挿し木して栽培したものである。
【００１２】
請求項６に係る蔓性ミニバラの鉢物は、請求項５の構成において、前記蔓性ミニバラが、前記小容器に挿し木した後、花芽形成前は全体を倒伏状態として栽培し、花芽形成後に全体を起立状態として栽培したものである。
【００１３】
請求項７に係る蔓性ミニバラの鉢物は、請求項６の構成において、前記複数の小容器には、前記蔓性ミニバラとして、花の色が異なる蔓性ミニバラを栽培し、前期複数の小容器から前記花の色が異なる蔓性ミニバラがそれぞれ伸びてそれらの略中央部で出会うよう、前記蔓性ミニバラを前記支持体に誘引支持した。
【００１４】
請求項８に係る蔓性ミニバラの鉢物は、請求項４乃至７のいずれかの構成において、前記支持体が、少なくとも、前記蔓性ミニバラの前記意匠形状に対応する所定の二次元形状または三次元形状をなし、複数（複数の小容器の数と同一数、または、対応する数の先端部をそれぞれ前記複数の小容器の用土中に差し込んで取付けられ、前記複数の小容器間を掛け渡す心棒より構成され、前記蔓性ミニバラは、前記心棒に前記意匠形状となるよう絡ませて誘引支持されている。
【００１５】
請求項９に係る蔓性ミニバラの鉢物は、請求項８の構成において、一対の前記小容器を前記大容器に収容し、前記心棒を前記一対の小容器の一方から他方へと延びるアーチ形状とすると共に、その各先端部を前記一対の小容器の各々の用土中に差し込んで取付け、前記一対の小容器間を掛け渡すようにし、前記一対の小容器の一方に植え付けた蔓性ミニバラと前記一対の小容器の他方に植え付けた蔓性ミニバラとを、前記心棒に絡んだ状態でアーチ状に誘引支持した。
【００１６】
請求項１０に係る蔓性ミニバラの鉢物は、請求項４乃至９のいずれかの構成において、更に、前記大容器において前記複数の小容器間に所定意匠の意匠部材を配置した。
【００１７】
請求項１１に係る蔓性ミニバラの鉢物は、請求項４乃至７のいずれかの構成において、前記支持体が、前記蔓性ミニバラの前記意匠形状より大面積の略格子板状をなし、その下端側の複数の突起部分をそれぞれ前記複数の小容器の用土中に差し込んで取付けられ、前記複数の小容器間を掛け渡すトレリスより構成され、前記蔓性ミニバラは、前記トレリスに前記意匠形状となるよう絡ませて誘引支持されている。
【００１８】
請求項１２に係る蔓性ミニバラの鉢物は、前記小容器の数を４個として二対の前記小容器を前記大容器に収容し、前記心棒の数を２本とし、かつ、前記各心棒の形状を、対をなす前記小容器間を掛け渡す形状（例えば、アーチ等の曲線形状、屈曲部を有する形状等）として、前記２本の心棒の先端部を、それぞれ、前記二対の小容器の用土中に差し込んで取付け、前記二対の小容器間を前記２本の心棒で掛け渡すようにし、前記各対の小容器の一方の小容器に植え付けた蔓性ミニバラと、前記各対の小容器の他方の小容器に植え付けた蔓性ミニバラとを、その対の前記小容器間を掛け渡す前記１本の心棒に絡ませた状態で誘引支持し、前記２本の心棒及びそれら２本の心棒に誘引支持した前記蔓性ミニバラにより、それらの内部に収容空間を形成して、前記収容空間に所定意匠の意匠部材を配置した。
【００１９】
請求項１３に係る蔓性ミニバラの鉢物は、請求項１２の構成において、前記２本の心棒を、長さ方向略中央で互いに非直交状態で交差するよう、前記二対の小容器間にそれぞれ掛け渡し、前記心棒の一端側で対応する２個の前記小容器が、前記心棒の一端側で互いに近接すると共に、前記心棒の他端側で対応する残りの２個の前記小容器が、前記心棒の他端側で互いに近接するよう、前記二対の小容器を前記大容器に収容配置し、前記心棒の一端側及び他端側において、前記二対の小容器間に大面積の収容空間を形成した。
【００２０】
請求項１４に係る蔓性ミニバラの鉢物は、前記小容器の数を２個として一対の前記小容器を前記大容器に収容し、前記心棒の数を１本とし、かつ、前記心棒の形状を、対をなす前記小容器間を掛け渡す形状（例えば、アーチ等の曲線形状、屈曲部を有する形状等）として、前記心棒の先端部を、それぞれ、前記一対の小容器の用土中に差し込んで取付け、前記一対の小容器間を前記１本の心棒で掛け渡すようにし、前記一対の小容器の一方の小容器に植え付けた蔓性ミニバラと、前記一対の小容器の他方の小容器に植え付けた蔓性ミニバラとを、前記一対の前記小容器間を掛け渡す前記１本の心棒に絡ませた状態で誘引支持し、前記１本の心棒及び前記１本の心棒に誘引支持した前記蔓性ミニバラの下方空間、前方空間及び後方空間のいずれか１以上に、所定意匠の意匠部材を配置した。
【００２１】
請求項１５に係る蔓性ミニバラの鉢物は、前記小容器の数を６個以上の偶数として三対以上の前記小容器を前記大容器に収容し、前記心棒の数を前記小容器の数の半分の数となる３本以上とし、かつ、前記各心棒の形状を、対をなす前記小容器間を掛け渡す形状（例えば、アーチ等の曲線形状、屈曲部を有する形状等）として、前記３本以上の心棒の先端部を、それぞれ、前記三対以上の小容器の用土中に差し込んで取付け、前記三対以上の小容器間を前記３本以上の心棒で掛け渡すようにし、前記各対の小容器の一方の小容器に植え付けた蔓性ミニバラと、前記各対の小容器の他方の小容器に植え付けた蔓性ミニバラとを、その対の前記小容器間を掛け渡す前記１本の心棒に絡ませた状態で誘引支持し、前記３本以上の心棒及びそれら３本以上の心棒に誘引支持した前記蔓性ミニバラにより、それらの内部に収容空間を形成して、前記収容空間に所定意匠の意匠部材を配置した。
【００２２】
請求項１６に係る蔓性ミニバラの栽培方法は、複数の小容器にそれぞれ蔓性ミニバラを植え付けて育苗する育苗工程と、前記複数の小容器間に前記蔓性ミニバラ誘引用の支持体を掛け渡して取付ける支持体取付工程と、前記複数の小容器に育苗した蔓性ミニバラを、それらが一体となって前記複数の小容器間を掛け渡す所定の二次元形状または三次元形状からなる意匠形状を形成するよう前記支持体に誘引支持する誘引工程とを備える。
【００２３】
請求項１７に係る蔓性ミニバラの栽培方法は、複数の小容器にそれぞれ蔓性ミニバラの挿し穂を挿し木して所定期間育苗する育苗工程と、前記複数の小容器間に前記蔓性ミニバラ誘引用の支持体を掛け渡して取付ける支持体取付工程と、前記複数の小容器に挿し木して育苗した蔓性ミニバラを、それらが一体となって前記複数の小容器間を掛け渡す所定の二次元形状または三次元形状からなる意匠形状を形成するよう前記支持体に誘引支持する誘引工程とを備える。
【００２４】
請求項１８に係る蔓性ミニバラの栽培方法は、複数の小容器にそれぞれ蔓性ミニバラの挿し穂を挿し木して所定期間育苗する育苗工程と、前記複数の小容器間に前記蔓性ミニバラ誘引用の支持体を掛け渡して取付ける支持体取付工程と、前記複数の小容器に挿し木して育苗した蔓性ミニバラを、それらが一体となって前記複数の小容器間を掛け渡す所定の二次元形状または三次元形状からなる意匠形状を形成するよう前記支持体に誘引支持する誘引工程と、前記誘引工程後、前記蔓性ミニバラの休眠期において、前記小容器及び前記蔓性ミニバラを倒伏状態とし、前記蔓性ミニバラの全体に花芽を形成する花芽形成工程と、前記花芽形成工程で前記蔓性ミニバラに花芽を形成した後、前記小容器及び前記蔓性ミニバラを起立状態とし、前記蔓性ミニバラの花芽を開花させる開花工程とを備える。
【００２５】
請求項１８に係る蔓性ミニバラの栽培方法は、複数の小容器にそれぞれ蔓性ミニバラの挿し穂を挿し木して所定期間育苗する育苗工程と、前記複数の小容器間に前記蔓性ミニバラ誘引用の支持体を掛け渡して取付ける支持体取付工程と、前記複数の小容器に挿し木して育苗した蔓性ミニバラを、それらが一体となって前記複数の小容器間を掛け渡す所定の二次元形状または三次元形状からなる意匠形状を形成するよう前記支持体に誘引支持する誘引工程と、前記誘引工程後、前記小容器及び前記蔓性ミニバラを倒伏状態とすると共に、前記蔓性ミニバラを冷蔵貯蔵して強制的に休眠期とし、前記蔓性ミニバラの全体に満遍なく花芽を形成する花芽形成工程と、前記花芽形成工程で前記蔓性ミニバラに花芽を形成した後、前記小容器及び前記蔓性ミニバラを起立状態とすると共に常温環境に復帰し、前記蔓性ミニバラの花芽を開花させる開花工程とを備える。
【発明の効果】
【００２６】
請求項１に係る蔓性ミニバラの装飾品は、従来と比較して大幅に小型化することができる。また、請求項１に係る蔓性ミニバラの鉢物は、アーチ形状等の形状やその他の意匠を多種多彩なものとして全体の意匠性を向上することができる。
【００２７】
請求項２に係る蔓性ミニバラの装飾品は、従来と比較して大幅に小型化することができる。また、請求項１に係る蔓性ミニバラの鉢物は、アーチ形状等の形状やその他の意匠を多種多彩なものとして全体の意匠性を向上することができる。また、各蔓性ミニバラをポット育苗することができ、移植または定植が不要であると共に、活着の点で有利となる。
【００２８】
請求項３に係る蔓性ミニバラの装飾品は、請求項２の効果に加え、前記所定の意匠形状とした蔓性ミニバラを、別の容器や花壇の用土等、別の所望の位置に植え替えて、同様の効果を発揮することができる。
【００２９】
請求項４に係る蔓性ミニバラの鉢物は、従来と比較して大幅に小型化することができる。また、請求項４に係る蔓性ミニバラの鉢物は、アーチ形状等の形状やその他の意匠を多種多彩なものとして全体の意匠性を向上することができる。また、各蔓性ミニバラをポット育苗することができ、移植または定植が不要であると共に、活着の点で有利となる。更に、小容器が大容器の内部に収容され、二重鉢と同様の効果を発揮する。即ち、蔓性ミニバラを植え付けた小容器を、大容器内に収容保持し、その間に詰め物を充填することにより、小容器内の用土の温度が高すぎたり低すぎたりしないように維持することができ、小容器内の用土の乾燥を効果的に防止することができる。
【００３０】
請求項５に係る蔓性ミニバラの鉢物は、請求項４の効果に加え、蔓性ミニバラを挿し木により栽培するため、蔓性ミニバラの矮化（小型化）が可能となる。
【００３１】
請求項６に係る蔓性ミニバラの鉢物は、請求項５の効果に加え、花芽形成前は全体を倒伏状態として栽培し、花芽形成後に全体を起立状態として栽培するため、全体に満遍なく花芽が付き、全体に万遍なく花が咲いた蔓性ミニバラとすることができる。
【００３２】
請求項７に係る蔓性ミニバラの鉢物は、請求項６の効果に加え、複数の小容器にそれぞれ異色の花の蔓性ミニバラを栽培することにより、異色のバラの花が中央で出会うような独特のデザインの鉢物を提供することができる。また、蔓性ミニバラの花の色を適宜変更することにより、花の色のバリエーションを飛躍的に増やすことができる。
【００３３】
請求項８に係る蔓性ミニバラの鉢物は、請求項４乃至７のいずれかの効果に加え、支持体として複数の小容器間を掛け渡す形状の心棒を採用すると共に、その心棒に沿って複数組の蔓性ミニバラを小容器間に掛け渡すため、蔓性ミニバラの全体形状を、アーチ状のほか、ハート状等、任意の形状とすることができ、意匠のバリエーションを飛躍的に増やすことができる。
【００３４】
請求項９に係る蔓性ミニバラの鉢物は、請求項８の効果に加え、支持体として一対の小容器間を掛け渡すアーチ形状の心棒を採用すると共に、その心棒に沿って２組の蔓性ミニバラを小容器間に掛け渡すため、蔓性ミニバラの全体形状を、正確なアーチ状とすることができる。
【００３５】
請求項１０に係る蔓性ミニバラの鉢物は、請求項４乃至９のいずれかの効果に加え、意匠部材により更に独特な意匠的効果を発揮することができる。
【００３６】
請求項１１に係る蔓性ミニバラの鉢物は、請求項４乃至７のいずれかの効果に加え、支持体として複数の小容器間を掛け渡す形状のトレリスを採用すると共に、そのトレリスに沿って複数組の蔓性ミニバラを小容器間に掛け渡すため、蔓性ミニバラの全体形状を、トレリスの面形状のほか、トレリスの範囲内で任意の形状とすることができ、意匠のバリエーションを飛躍的に増やすことができる。
【００３７】
請求項１２に係る蔓性ミニバラの鉢物は、請求項８の効果に加え、二対の小容器間を掛け渡す蔓性ミニバラにより独特の意匠的効果を発揮することができると共に、その内部の収容空間に収容した意匠部材により、更に、独特の意匠的効果を付加することができる。また、収容する意匠部材の数や種類を適宜選択して簡単に置き換えることができ、全体の意匠を容易かつ簡便に変更して、多種多彩な意匠的効果を発揮することができる。
【００３８】
請求項１３に係る蔓性ミニバラの鉢物は、請求項１２の効果に加え、二対の小容器が大容器の左側及び右側で近接配置され、大容器の前側及び後側に大面積の収容空間が形成される。或いは、二対の小容器が大容器の前側及び左側で近接配置され、大容器の左側及び右側に大面積の収容空間が形成される。よって、かかる大面積の収容空間により、その収容空間に意匠部材を配置することが一層容易になる。また、より多数の意匠部材をかかる大面積の収容空間に配置することも可能となる。
【００３９】
請求項１４に係る蔓性ミニバラの鉢物は、請求項８の効果に加え、一対の小容器間を掛け渡す蔓性ミニバラにより独特の意匠的効果を発揮することができると共に、その内部の収容空間に収容した意匠部材により、更に、独特の意匠的効果を付加することができる。また、収容する意匠部材の数や種類を適宜選択して簡単に置き換えることができ、全体の意匠を容易かつ簡便に変更して、多種多彩な意匠的効果を発揮することができる。
【００４０】
請求項１５に係る蔓性ミニバラの鉢物は、請求項８の効果に加え、三対以上の小容器間を掛け渡す蔓性ミニバラにより独特の意匠的効果を発揮することができると共に、その内部の収容空間に収容した意匠部材により、更に、独特の意匠的効果を付加することができる。また、収容する意匠部材の数や種類を適宜選択して簡単に置き換えることができ、全体の意匠を容易かつ簡便に変更して、多種多彩な意匠的効果を発揮することができる。加えて、小容器を三対以上として心棒を対応する３本以上とし、３本以上の心棒により蔓性ミニバラを誘引支持したため、心棒及び蔓性ミニバラにより、鳥かご状の収容空間を内部に形成することができ、一層独特の意匠的効果を発揮することができる。よって、かかる鳥かご状の収容空間に鳥の置物等の意匠部材を配置することにより、鳥かご状の装飾品として具体化する等、多彩な意匠に具現化することができる。
【００４１】
請求項１６に係る蔓性ミニバラの栽培方法は、蔓性ミニバラの鉢物をアーチ形状等の形状やその他の意匠を多種多彩なものとして全体の意匠性を向上することができる。
【００４２】
請求項１７に係る蔓性ミニバラの栽培方法は、従来と比較して大幅に小型化された蔓性ミニバラを栽培することができると共に、蔓性ミニバラの鉢物をアーチ形状等の形状やその他の意匠を多種多彩なものとして全体の意匠性を向上することができる。
【００４３】
請求項１８に係る蔓性ミニバラの栽培方法は、従来と比較して大幅に小型化された蔓性ミニバラを栽培することができると共に、蔓性ミニバラの鉢物をアーチ形状等の形状やその他の意匠を多種多彩なものとして全体の意匠性を向上することができる。また、蔓性ミニバラの全体に満遍なく花芽を付け、全体に万遍なく花を咲かせることができる。
【００４４】
請求項１８に係る蔓性ミニバラの栽培方法は、従来と比較して大幅に小型化された蔓性ミニバラを栽培することができると共に、蔓性ミニバラの鉢物をアーチ形状等の形状やその他の意匠を多種多彩なものとして全体の意匠性を向上することができる。また、花芽形成工程において蔓性ミニバラを倒伏するため、蔓性ミニバラの全体に満遍なく花芽を付け、全体に万遍なく花を咲かせることができる。更に、蔓性ミニバラの休眠を強制的に行うため、量産効果を高めることができる。
【発明を実施するための最良の形態】
【００４５】
以下、本発明を実施するための最良の形態（以下、実施の形態という）を説明する。なお、各実施の形態を通じ、同一の部材、要素または部分には同一の符号を付して、その説明を省略する。
【００４６】
実施の形態１
図１は本発明の実施の形態1に係る蔓性ミニバラの鉢物を示す斜視図である。
実施の形態1に係る蔓性ミニバラの鉢物は、複数（複数組）の蔓性ミニバラ１０をアーチ状に誘引したバラのアーチの鉢物に具体化される。詳細には、蔓性ミニバラの鉢物は、各組が１本以上からなる複数組の蔓性ミニバラ１０を、それぞれ、複数の小容器２０の用土２５に植え付けて支持している。各組の蔓性ミニバラ１０は、各小容器２０により個別に栽培したものである。実施の形態１では、一対（２組）の蔓性ミニバラ１０を一対（２個）の小容器２０に栽培している。各組の蔓性ミニバラ１０は複数本から構成されるが、１本のみにより構成することも可能である。また、小容器２０として、実施の形態１では、育苗ポットを使用しているが、蔓性ミニバラ１０を植え付けて支持できる限りにおいて、その他の小容器を使用することも可能である。更に、前記２組の蔓性ミニバラ１０は、前記２個の小容器２０を大容器３０に収容保持することにより、大容器３０に一体的に保持される。詳細には、大容器３０の内部には用土が収容され、その用土中に一対の小容器２０が埋設して保持されている。小容器２０は、その用土の上面が大容器３０の用土の上面と略面一となるよう、その全体を大容器３０の用土中にほぼ完全に埋設してもよく、或いは、その用土の上面が大容器３０の用土の上面より上方に位置するよう、その中央部及び下部のみを大容器３０の用土中に埋設してもよく、或いは、その用土の上面が大容器３０の用土の上面より下方に位置するよう、その全体を大容器３０の用土に中に埋設してもよい。なお、実施の形態１では、大容器３０として、一対（２つ）の小容器２０を内部に収容可能なよう、横長の鉢やプランタ等を使用している。しかし、大容器３０としては、所定数の小容器２０を収容して支持できる限りにおいて、その他のコンテナを使用することも可能である。
【００４７】
前記一対の蔓性ミニバラ１０は、それらが一体となって前記一対の小容器２０間を掛け渡す所定の二次元形状からなる所定の意匠形状を形成するよう、支持体としての心棒（支柱）４０に誘引支持されている。また、心棒４０は、アーチ状または略円形状に湾曲形成されている。そして、蔓性ミニバラ１０が前記心棒４０によりアーチ状に誘引支持されている。具体的には、一対（２個）の小容器２０から、それぞれ、蔓性ミニバラ１０の蔓状の茎乃至子株（ランナー）が心棒４０に絡んで中央へと伸び、一対（２組）の蔓性ミニバラ１０が全体としてアーチ形状（略円形状）を形成している。心棒４０としては、手指等により屈曲または湾曲等して、所望形状に形状変形自在な針金等を使用することができる。心棒４０は、その一対の先端部を前記一対の小容器２０の用土２５中にそれぞれ差し込むことにより、一対の小容器２０間を掛け渡すよう一対の小容器２０間に一体的に取付けられる。そして、一対の小容器２０の一方に植え付けた蔓性ミニバラ１０と一対の小容器２０の他方に植え付けた蔓性ミニバラ１０とが、心棒４０に絡んだ状態でアーチ状に誘引支持されている。このとき、心棒４０は、一対の小容器２０に対して安定して立設状態で支持され、蔓性ミニバラ１０を安定してアーチ状に誘引支持している。上記のように、実施の形態１では、２個の小容器２０を大容器３０に収容してその用土中に保持することにより、心棒４０により前記意匠形状（アーチ形状）を形成するよう支持された蔓性ミニバラ１０を大容器３０に間接的に支持している。
【００４８】
実施の形態１では、蔓性ミニバラ１０は、蔓性ミニバラ１０の挿し穂（子株）を、挿し床としての小容器２０（育苗ポット）内の用土に挿し木して栽培したものであり、矮化された小型のもの（矮性蔓バラ）である。また、蔓性ミニバラ１０としては、一方の小容器２０に栽培する蔓性ミニバラ１０の花または花弁の色と、他方の小容器２０に栽培した蔓性ミニバラ１０の花の色とを異なる色とすることが好ましい。こうすると、一対の小容器２０間でアーチ形状を形成する蔓性ミニバラ１０の配色を種々選択することにより、意匠のバリエーションを増大することができる。かかる蔓性ミニバラ１０として、例えば、赤色の花については、万頭花、レッド・ベルズ、レッド・カスケード、ジェット・フレーム等を使用することができる。また、ピンク色の花については、夢乙女、須磨、ピンク・ベルズ、ビンゴ・メイディランド等を使用することができる。更に、白または黄色の花については、ホワイト・ベルズ、ホワイト・スプレー等を使用するイことができる。その他の蔓性ミニバラ１０として、サマー・スノー、リトル・ルチア、つるスタリナ、つるマジック・キャローセル、ローラ・フォード等を使用することもできる。
【００４９】
実施の形態１に係る蔓性ミニバラの鉢物は、以下に示す蔓性ミニバラの栽培方法により２組の蔓性ミニバラを一対の小容器２０に栽培して開花させたものを、大容器３０に収容保持して形成される。以下、かかる蔓性ミニバラの栽培方法について詳述する。図２は実施の形態１に係る蔓性ミニバラの栽培方法の挿し木工程を示す斜視図である。図３は実施の形態１に係る蔓性ミニバラの栽培方法の育苗工程を示す斜視図である。図４は実施の形態１に係る蔓性ミニバラの栽培方法の誘引工程を示す斜視図である。図５は実施の形態１に係る蔓性ミニバラの栽培方法の花芽形成工程を示す平面図である。図６は実施の形態１に係る蔓性ミニバラの栽培方法の開花工程後を示す正面図である。
【００５０】
実施の形態１に係る蔓性ミニバラの栽培方法によれば、育苗工程で、まず、図１に示すように、蔓性ミニバラの挿し穂１０Ａを挿し床としての多数の小容器（育苗ポット）２０内の用土２５にそれぞれ挿し木し、次に、図２に示すように、前記各小容器２０により各組の蔓性ミニバラの挿し穂１０Ａを所定期間育成（育苗）して所定長（所定高さ）の蔓性ミニバラ１０Ｂとする。かかる育苗期間は、挿し木して育成した蔓性ミニバラ１０Ｂが前記所定長、即ち、誘引に適した長さとなるまでの期間とする。このとき、挿し穂１０Ａは、各小容器に１本以上挿し木するが、小容器２０は、左右または前後で一対（２個１組）となるよう配置する。例えば、左右に偶数個の小容器２０を隣接または密接配置して各列を構成し、かかる偶数個の小容器２０の列を前後に多数隣接または密接配置して縦横に略格子状（マトリックス状）に配置することができる。或いは、前後に偶数個の小容器２０を隣接または密接配置して各列を構成し、かかる偶数個の小容器２０の列を左右に多数隣接または密接配置して縦横に略格子状（マトリックス状）に配置することができる。或いは、前後及び左右にそれぞれ偶数個の小容器２０を隣接または密接配置して、縦横に略格子状（マトリックス状）に配置することもできる。次に、支持体取付工程で、図３に示すように、一対の小容器２０間に前記蔓性ミニバラ誘引用の支持体としての心棒４０を掛け渡して取付ける。具体的には、左右または前後等で対をなすよう多数配置した小容器２０に対し、隣接する一対の小容器２０の用土に、それぞれ、心棒４０の両端部を差し込んで取付け、心棒４０を隣接する一対の小容器２０間に掛け渡す。これにより、心棒４０によって一対の小容器２０間を連結する。この支持体取付工程は、前記育苗工程で前記蔓性ミニバラ１０Ｂを所定期間育苗した後に行うが、挿し木と同時に行うことも可能である。
【００５１】
次に、誘引工程において、一対（２個１組）の小容器２０に育苗した蔓性ミニバラ１０Ｃを、それらが一体となって前記一対の小容器２０間を掛け渡す所定の二次元形状からなる意匠形状、即ち、アーチ形状を形成するよう前記心棒４０に絡ませて誘引支持する。これにより、一対（２個）の小容器２０から、それぞれ、蔓性ミニバラ１０Ｃの蔓状の茎乃至子株（ランナー）が心棒４０に絡んで中央へと伸び、一対（２組）の蔓性ミニバラ１０Ｃが全体としてアーチ形状（略円形状）を形成する。図４はこの状態を示す。なお、このとき、一対（２組）の蔓性ミニバラ１０Ｃは、心棒４０の中央付近で絡み合って一体化し、実質上それらの間に境界（隙間）が生じることはない。なお、前記育苗工程及び誘引工程では、蔓性ミニバラ１０Ｂ，１０Ｃを起立状態で栽培する。こうすると、生長ホルモンを蔓性ミニバラの先端部（上端部）に集中し、頂芽優勢（頂芽優先）により、蔓性ミニバラ１０の分枝（枝分かれ）をできるだけ抑え、蔓性ミニバラ１０Ｃを心棒４０に沿う方向にできるだけ集中して伸ばすことができ、心棒４０に沿って理想的なアーチ形状を形成することができる。
【００５２】
ここで、蔓性ミニバラは、通常、冬季に休眠状態となり（休眠期）、この休眠期に花芽形成して、越冬後の春に開花する。よって、通常は、前記誘引工程は、かかる休眠期（冬季）までに行い、蔓性ミニバラ１０Ｃを起立状態で心棒４０に十分に誘引して所望のアーチ形状とする。そして、誘引工程後の花芽形成工程は、蔓性ミニバラ１０Ｃの休眠期（冬季）において、小容器２０及び蔓性ミニバラ１０Ｃを倒伏状態として蔓性ミニバラ１０Ｃを育成乃至栽培継続し、蔓性ミニバラ１０Ｃの全体に満遍なく花芽を形成する。次に、花芽形成工程で蔓性ミニバラ１０Ｃに花芽を形成した後、開花工程（春季の開花期）で、小容器２０及び蔓性ミニバラ１０Ｃを起立状態として蔓性ミニバラ１０Ｃを育成乃至栽培継続し、蔓性ミニバラ１０Ｃの花芽を開花させる。
【００５３】
一方、実施の形態１では、量産効果を高める等の目的で、誘引工程後の花芽形成工程で、蔓性ミニバラ１０Ｃを強制的に休眠状態（休眠期）とすることが好ましい。即ち、花芽形成工程で、心棒４０を介して一対の小容器２０に掛け渡して栽培した一対の蔓性ミニバラ１０Ｃを倒伏状態とすると共に、冷蔵室に所定期間冷蔵状態で貯蔵する。例えば、図５に示すように、アーチ状に形成した一対の蔓性ミニバラ１０Ｄを、その小容器２０と共に載置台５０上に倒伏状態で載置し、冷蔵貯蔵工程で貯蔵する。すると、この花芽形成工程（強制休眠期）において、蔓性ミニバラ１０Ｄは花芽形成する（春化）。更に、このとき、蔓性ミニバラ１０Ｄは倒伏状態で育成され、この状態で、各蔓性ミニバラ１０Ｄが花芽を形成するため、花芽形成に寄与する生長ホルモンが全体に満遍なく行き渡り、花芽は、蔓性ミニバラ１０Ｄの全体に満遍なく形成される。次に、花芽形成工程で蔓性ミニバラ１０Ｃに花芽を形成した後、開花工程で、一対の小容器２０及び一対の蔓性ミニバラ１０Ｃを起立状態とすると共に、冷蔵室から外部環境に戻して常温環境に復帰し、その状態で蔓性ミニバラ１０Ｄを育成乃至栽培継続し、蔓性ミニバラ１０Ｄの花芽を開花させる。すると、全体に満遍なく付いた花芽が開花し、一対の小容器２０間で心棒４０に沿ってアーチ状をなす一対の蔓性ミニバラ１０Ｄの全体に花が咲く。
【００５４】
そして、開花工程後、一対の小容器２０を大容器３０に収容保持すると、図６に示すように、実施の形態１に係る蔓性ミニバラの鉢物が完成する。この蔓性ミニバラの鉢物は、上記のように、一対の小容器２０間でアーチ状をなす一対の蔓性ミニバラ１０Ｄの全体に均等かつ満遍なく花１１が咲き、バラのアーチの鉢物として高い意匠的効果を発揮する。
【００５５】
作用及び効果
実施の形態１に係る蔓性ミニバラの鉢物及び蔓性ミニバラの栽培方法によれば、各蔓性ミニバラの栽培を従来と異なる栽培方法、即ち、挿し木による栽培方法としたため、蔓性ミニバラを従来になく小型化することができ、蔓性ミニバラの鉢物についても従来にない小型化を実現することができる。また、別々の小容器２０で別個に栽培した蔓性ミニバラ１０（蔓性ミニバラの鉢物）を２個組み合わせてアーチ状に誘引することで、一対の蔓性ミニバラ１０により、正確な、或いは、理想的なアーチ形状を形成することができる。更に、２個の蔓性ミニバラ１０間または２個の小容器２０間に別の鉢物を挟んで配置することもでき、独創的なデザインの鉢物を提供することができる。更にまた、別個に栽培した蔓性ミニバラの鉢物を２個組み合わせて１個の蔓性ミニバラの鉢物を構成するため、使用する一対の蔓性ミニバラの色を自由に異ならせることができ、開花後に異色の花が混合した独特な雰囲気の蔓性ミニバラの鉢物を各種提供することができる。加えて、１本の心棒４０に蔓性ミニバラ１０を絡ませて誘引するため、蔓性ミニバラ１０により上記のような正確なアーチ形状を形成できる以外に、心棒４０の形状を任意の二次元形状または三次元形状とすることで、従来にないデザイン（二次元形状または三次元形状）の蔓性ミニバラの鉢物を提供することができる。更に、蔓性ミニバラ１０は、花芽形成までは株全体を倒伏状態とされるため、その全体に間満遍なく花を付けることができる。
【００５６】
実施の形態２
図７は本発明の実施の形態２に係る蔓性ミニバラの鉢物を示す断面図である。
実施の形態２に係る蔓性ミニバラの鉢物は、図７に示すように、実施の形態１に係る蔓性ミニバラの鉢物において、バラのアーチを形成する一対の蔓性ミニバラ１０間または一対の小容器２０間に、所定意匠の意匠部材として、熊の置物１１０を配置したものである。その他の構成は実施の形態１に係る蔓性ミニバラの鉢物と同様である。なお、かかる意匠部材としては、熊、犬、猫、小鳥等の動物の置物以外にも、任意の意匠部材を配置することができる。また、意匠部材として、別の鉢物、例えば、蔓性ミニバラ以外の花を小容器に植え付けた鉢物を配置することもできる。実施の形態２に係る蔓性ミニバラの鉢物は、実施の形態１に係る蔓性ミニバラの鉢物と同様の作用及び効果に加えて、更に独特な意匠（デザイン）の蔓性ミニバラの鉢物を提供することができる。
【００５７】
実施の形態３
図８は本発明の実施の形態３に係る蔓性ミニバラの鉢物を示す正面図である。
実施の形態３に係る蔓性ミニバラの鉢物は、図８に示すように、実施の形態１に係る蔓性ミニバラの鉢物において、蔓性ミニバラ１０を誘引支持する支持体として、心棒４０の代わりにトレリス２１０を使用したものである。その他の構成は実施の形態１に係る蔓性ミニバラの鉢物と同様である。詳細には、実施の形態３では、支持体は、蔓性ミニバラ１０の所望の意匠形状より大面積の略格子板状をなし、その下端側の複数の突起部分をそれぞれ複数の小容器２０の用土中に差し込んで取付けられ、複数の小容器間２０を掛け渡すトレリス２１０より構成されている。また、蔓性ミニバラ１０は、トレリス２１０に前記意匠形状となるよう絡ませて誘引支持されている。具体的には、トレリス２１０は、一対の略正方形格子状の左側トレリス部２１０ａ及び右側トレリス部２１０ｂを、それぞれのコーナが上下左右を向くよう配置すると共に、それらのコーナを一体的に接続した面形状をなしている。そして、トレリス２１０は、左側トレリス部２１０ａの下端コーナの突起部分及び右側トレリス部２１０ｂの下端コーナの突起部分を、それぞれ、小容器２０の用土２５中に差し込むことにより、一対の小容器２０を掛け渡すよう小容器２０間に取付けて支持されている。
【００５８】
一方、一対の小容器２０にそれぞれ挿し木により栽培した蔓性ミニバラ１０は、トレリス２１０の左側トレリス部２１０ａ及び右側トレリス部２１０ｂにそれぞれ誘引支持されている。このとき、蔓性ミニバラ１０は、トレリス２１０の左側トレリス部２１０ａ及び右側トレリス部２１０ｂの略全体を覆うよう面状に誘引したり、トレリス２１０の左側トレリス部２１０ａ及び右側トレリス部２１０ｂの外周に沿って線状に誘引したりすることができる。
【００５９】
なお、実施の形態３に係る蔓性ミニバラは、実施の形態１と同様にして一対の小容器２０間を掛け渡すよう栽培することができる。詳細には、育苗工程で、まず、蔓性ミニバラ１０を小容器２０内の用土２５にそれぞれ挿し木し、所定期間育成（育苗）して所定長（所定高さ）とする。このとき、蔓性ミニバラ１０は各小容器２０に１本以上挿し木するが、実施の形態１のように心棒４０に蔓性ミニバラ１０を誘引する場合と比較して、実施の形態３のようにトレリス２１０に蔓性ミニバラ１０を誘引する場合は、誘引する蔓性ミニバラ１０の本数を多くしてもよい。こうすると、多数本の蔓性ミニバラ１０によりトレリス２１０の全面を均等に覆う上で有利となる。次に、支持体取付工程で、一対の小容器２０間に前記蔓性ミニバラ誘引用の支持体としてのトレリス２１０を掛け渡して取付け、トレリス２１０によって一対の小容器２０間を連結する。
【００６０】
次に、誘引工程において、一対（２個１組）の小容器２０に育苗した蔓性ミニバラ１０を、それらが一体となって前記一対の小容器２０間を掛け渡す所定の二次元形状からなる意匠形状、即ち、トレリス２１０の面形状に対応する面形状を形成するよう前記トレリス２１０に絡ませて誘引支持する。次に、誘引工程後の花芽形成工程で、トレリス２１０を介して一対の小容器２０に掛け渡して栽培した一対の蔓性ミニバラ１０を倒伏状態とすると共に、冷蔵室に所定期間冷蔵状態で貯蔵する。次に、花芽形成工程で蔓性ミニバラ１０に花芽を形成した後、開花工程で、一対の小容器２０及び一対の蔓性ミニバラ１０Ｃを起立状態とすると共に、冷蔵室から外部環境に戻して常温環境に復帰し、その状態で蔓性ミニバラ１０を育成乃至栽培継続し、蔓性ミニバラ１０の花芽を開花させる。すると、全体に満遍なく付いた花芽が開花し、一対の小容器２０間でトレリス２１０の全面に沿って伸びる蔓性ミニバラ１０の全体に花が咲く。
【００６１】
そして、開花工程後、一対の小容器２０を大容器３０に収容保持すると、図８に示すように、実施の形態３に係る蔓性ミニバラの鉢物が完成する。この蔓性ミニバラの鉢物は、上記のように、一対の小容器２０間でトレリス２１０の全面を伸びる面形状をなす一対の蔓性ミニバラ１０の全体に均等かつ満遍なく花１１が咲き、蔓性ミニバラの鉢物として高い意匠的効果を発揮する。
【００６２】
ところで、上記各実施の形態に係る蔓性ミニバラの鉢物では、一対の小容器２０を１組として、かかる２個１組の小容器２０にそれぞれ各組１本以上の蔓性ミニバラ１０を栽培すると共に、前記１組の小容器２０に１本の心棒４０または１個のトレリス２１０からなる支持体を掛け渡し、その支持体に各組の蔓性ミニバラ１０を誘引支持している。しかし、本発明は、３個以上の小容器２０を１組として、そららにそれぞれ蔓性ミニバラ１０を栽培すると共に、それら小容器２０の間に心棒やトレリス等の支持体を掛け渡して取付け、この支持体に各蔓性ミニバラ１０を誘引支持してもよい。こうすると、多種多彩な三次元形状の意匠（デザイン）を有する蔓性ミニバラの鉢物を提供することができる。
【００６３】
即ち、蔓性ミニバラは、実施の形態１のアーチ状や、実施の形態３の面形状以外にも、任意の二次元形状または三次元形状として実施することができる。ここで、支持体として心棒を使用する場合、心棒は、実施の形態１のようにアーチ形状とする以外にも、少なくとも、前記蔓性ミニバラ１０の誘引形状である意匠形状に対応する所定の二次元形状または三次元形状をなすものであればよい。また、心棒は、複数の小容器２０の数と同一数の先端部を前記複数の小容器の用土中に差し込んで支持されている。即ち、実施の形態１では、２個の小容器２０により１つの鉢物を構成するため、心棒４０の２つの先端部を前記２個の小容器２０の用土２５中にそれぞれ差し込んで支持している。よって、１つの鉢物を構成する場合に３つの小容器２０を使用する場合、三つ又の心棒を使用し、その３つの先端部の各々を各小容器２０の用土２５に差し込んで支持する。一方、本発明では、小容器２０の数に対応する数の先端部を有する心棒を使用し、その先端部を前記複数の小容器２０の用土中に差し込んで支持してもよい。例えば、２つの小容器を使用する場合において、四つ又の心棒を使用し、その４つの先端部のうちの２つを一方の小容器の用土に差し込んで支持すると共に、残りの２つの先端部を他方の小容器の用土に差し込んで支持することもできる。更に、支持体として、実施の形態１では針金等の支柱または心棒４０を使用し、実施の形態３ではトレリスを使用しているが、蔓性ミニバラ１０が倒れないよう誘引支持できる限りにおいて、細竹、パイプ、網支柱（ネット支柱）、パーゴラ（柱及び梁からなる支持体）等、その他の支持体を使用することもできる。
【００６４】
また、上記各実施の形態に係る蔓性ミニバラの鉢物では、大容器３０の用土を特定していないが、大容器３０の用土は、小容器２０の用土と同一のものとしてもよいし、異なるものとしてもよい。或いは、大容器３０に用土以外の詰め物を充填し、その詰め物により小容器２０を大容器３０に保持するようにしてもよい。即ち、上記各実施の形態では、大容器３０に用土を入れ、その用土中に小容器２０を埋設しているが、用土の代わりに、砂利、小石等、その他の詰め物を充填したり、詰め物を充填することなく他の支持手段により小容器２０を保持したりするようにしてもよい。或いは、小容器２０を生分解性プラスチック等、時間の経過と共に有機分解する材料により形成することもできる。こうすると、小容器２０の分解後に、小容器２０内の用土が大容器３０の用土と一体化する。更に、本発明に係る蔓性ミニバラの栽培方法では、挿し木により育苗する以外にも、蔓性ミニバラを矮化できる限りにおいて、その他の方法により育苗することも可能である。
【００６５】
次に、実施の形態２のように、複数の蔓性ミニバラと意匠部材（置物等の装飾品）や別の花卉や鉢物等を組み合わせる場合の別の具体例について説明する。
【００６６】
実施の形態４
図９は本発明の実施の形態４に係る蔓性ミニバラの鉢物を示す斜視図である。図１０は本発明の実施の形態４に係る蔓性ミニバラの鉢物の心棒と装飾品との関係を平面状態で視て示す説明図である。
図９に示すように、実施の形態４に係る蔓性ミニバラの鉢物は、小容器２０の数を４個として二対の小容器２０を大容器３３０に収容している。大容器３３０は、鉢ではなく、花かご状のものとしている。よって、大容器３３０には用土は充填されずに非充填空間とされ、その非充填空間内に二対の小容器２０が収容されている。小容器２０は、例えば、大容器３３０の底部上に載置して配置されている。或いは、大容器３３０内に詰め物をして、小容器２０の位置ずれ防止等を行うことも可能である。また、実施の形態４に係る蔓性ミニバラの鉢物は、、心棒４０の数を２本とし、かつ、各心棒４０の形状を、対をなす小容器２０間を掛け渡す形状（例えば、アーチ等の曲線形状、屈曲部を有する形状等）としている。なお、実施の形態４では、心棒４０は、実施の形態１及び２と同様、アーチ状とされている。また、心棒４０の形状は、対をなす小容器２０間を掛け渡す形状とする限りにおいて、アーチ状以外の湾曲形状としたり、一部に屈曲部を１以上有する形状としたりして、任意の形状とすることができる。そして、２本の心棒４０の先端部を、それぞれ、二対の小容器２０の用土中に差し込んで取付け、二対の小容器２０間を２本の心棒４０で掛け渡すようにしている。一方、各対の小容器２０の一方の小容器２０に植え付けた蔓性ミニバラ１０と、各対の小容器２０の他方の小容器２０に植え付けた蔓性ミニバラ１０とを、その対の小容器２０間を掛け渡す１本の心棒４０に絡ませた状態で誘引支持している。これにより、２本の心棒４０及びそれら２本の心棒４０に誘引支持した蔓性ミニバラ１０により、それらの内部に収容空間を形成して、その収容空間に所定意匠の意匠部材３１０，３２０を配置している。
【００６７】
実施の形態４では、意匠部材として、２種類の意匠部材３１０，３２０を使用している。具体的には、図１０に示すように、心棒４０及び蔓性ミニバラ１０の内部収容空間における略中央位置（大容器３３０の略中央）には、第１の意匠部材として、別個に栽培した花の鉢物、即ち、花卉３１０が収容配置されている。花卉３１０は、例えば、大容器３３０の底部略中央に載置して配置され、その花を外部に露出している。また、心棒４０及び蔓性ミニバラ１０の内部の収容空間より前方位置（大容器３３０の前側）には、第２の意匠部材として、鳥の置物３２０が収容配置されている。花卉３１０は、例えば、大容器３３０の底部前側に載置して配置され、鳥の意匠を外部に露出している。なお、大容器３３０に詰め物を充填した場合、かかる詰め物により、花卉３１０や鳥の置物３２０の位置ずれ防止等を行うことも可能である。なお、図１０は、説明の便宜上、大容器、小容器及び心棒のみを簡略化して図示している。また、心棒は、アーチ形状であることを明瞭に示すため、若干湾曲して図示されているが、実際は、平面状態で視ると略直線状となる。
【００６８】
実施の形態４に係る蔓性ミニバラの鉢物は、更に、２本の心棒４０を、長さ方向略中央で互いに非直交状態で（例えば、図１０中の左右の交差角を鋭角とし、上下の交差角を鈍角として）交差するよう、二対の小容器２０間にそれぞれ掛け渡している。そして、心棒４０の一端側で対応する２個の小容器２０（例えば、図１０中の左側の２個の小容器２０）が、心棒４０の一端側で互いに近接すると共に、心棒４０の他端側で対応する残りの２個の小容器２０（例えば、図１０中の右側の２個の小容器２０）が、心棒４０の他端側で互いに近接するよう、二対の小容器２０を大容器３３０に収容配置している。これにより、心棒４０の一端側及び他端側において、二対の小容器２０間に大面積の前側収容空間が形成されるようになっている。そして、かかる前側収容空間に、前記第２の意匠部材としての鳥の置物３２０が配置される。
【００６９】
実施の形態４に係る蔓性ミニバラの鉢物は、二対の小容器２０間を掛け渡す蔓性ミニバラ１０により独特の意匠的効果を発揮することができると共に、その内部収容空間に収容した第１の意匠部材としての花卉３１０により、更に、独特の意匠的効果を付加することができる。また、内部収容空間に収容する第１の意匠部材の数を２つ以上としたり、その種類を異ならせたり、適宜選択して簡単に置き換えることができ、全体の意匠を容易かつ簡便に変更して、多種多彩な意匠的効果を発揮することができる。
【００７０】
また、実施の形態４に係る蔓性ミニバラの鉢物は、二対の小容器２０が大容器３３０の左側及び右側で近接配置され、大容器３３０の前側及び後側に大面積の収容空間（前側収容空間及び後側収容空間）が形成される。或いは、二対の小容器２０を大容器３３０の前側及び左側で近接配置することにより、大容器３３０の左側及び右側に大面積の収容空間（左側収容空間及び右側収容空間）を形成することもできる。よって、かかる大面積の収容空間により、その収容空間に任意の意匠部材を配置することが一層容易になる。また、より多数の意匠部材をかかる大面積の収容空間に配置することも可能となる。
【００７１】
実施の形態５
図１１は本発明の実施の形態５に係る蔓性ミニバラの鉢物の心棒と装飾品との関係を平面状態で視て示す説明図である。
実施の形態５に係る蔓性ミニバラの鉢物は、小容器２０の数を２個として一対の小容器２０を大容器３３０に収容している。また、実施の形態５に係る蔓性ミニバラの鉢物は、心棒４０の数を１本とし、かつ、心棒４０の形状を、対をなす小容器２０間を掛け渡す形状（例えば、アーチ等の曲線形状、屈曲部を有する形状等）としている。更に、心棒４０の先端部を、それぞれ、一対の小容器２０の用土中に差し込んで取付け、一対の小容器２０間を１本の心棒４０で掛け渡すようにしている。そして、一対の小容器２０の一方の小容器２０に植え付けた蔓性ミニバラ１０と、一対の小容器２０の他方の小容器２０に植え付けた蔓性ミニバラ１０とを、一対の小容器２０間を掛け渡す１本の心棒４０に絡ませた状態で誘引支持し、１本の心棒４０及び１本の心棒４０に誘引支持した蔓性ミニバラ１０の前方空間（大容器３３０の前側収容空間）に、意匠部材としての花卉４１０を配置している。なお、実施の形態５では、意匠部材は、１本の心棒４０及び１本の心棒４０に誘引支持した蔓性ミニバラ１０の下方空間（大容器３３０の中央の収容空間）、前方空間（大容器３３０の前側収容空間）及び後方空間（大容器３３０の後側収容空間）のいずれか１以上に、所定意匠の意匠部材を配置することができる。また、図１１は、説明の便宜上、大容器３３０、小容器２０及び心棒４０のみを簡略化して図示し、蔓性ミニバラ１０は図示を省略している。また、心棒４０は、アーチ形状であることを明瞭に示すため、若干湾曲して図示されているが、実際は、平面状態で視ると略直線状となって表れる。
【００７２】
実施の形態５に係る蔓性ミニバラの鉢物は、一対の小容器２０間を掛け渡す蔓性ミニバラ１０により独特の意匠的効果を発揮することができると共に、大容器の任意の位置の収容空間に収容した意匠部材としての花卉４１０等により、更に、独特の意匠的効果を付加することができる。また、収容する意匠部材の数や種類を適宜選択して簡単に置き換えることができ、全体の意匠を容易かつ簡便に変更して、多種多彩な意匠的効果を発揮することができる。
【００７３】
実施の形態６
図１２は本発明の実施の形態６に係る蔓性ミニバラの鉢物の心棒と装飾品との関係を平面状態で視て示す説明図である。
実施の形態６に係る蔓性ミニバラの鉢物は、小容器２０の数を６個以上の偶数として三対以上の前記小容器を前記大容器に収容し、前記心棒の数を前記小容器の数の半分の数となる３本以上としている。具体的には、実施の形態６では、小容器２０の数は６個とされ、合計三対の小容器２０が大容器３３０に収容されている。また、心棒４０の数は前記小容器２０の数の半分の数となる３本とされている。前記各心棒４０の形状は、対をなす小容器２０間を掛け渡す形状（例えば、アーチ等の曲線形状、屈曲部を有する形状等）とされ、合計３本の心棒４０の先端部が、それぞれ、合計三対の小容器２０の用土中に差し込んで取付けられ、三対の小容器２０間を３本の心棒４０で掛け渡すようになっている。更に、各対の小容器２０の一方の小容器２０に植え付けた蔓性ミニバラ１０と、各対の小容器２０の他方の小容器２０に植え付けた蔓性ミニバラ１０とが、その対の小容器２０間を掛け渡す１本の心棒４０に絡ませた状態で誘引支持されている。そして、３本の心棒４０及びそれら３本の心棒４０に誘引支持した蔓性ミニバラ１０により、それらの内部に収容空間が形成され、前記内部収容空間に所定意匠の意匠部材としての鳥の置物５１０が配置されている。なお、図１２は、説明の便宜上、大容器３３０、小容器２０及び心棒４０のみを簡略化して図示している。また、心棒４０は、アーチ形状であることを明瞭に示すため、若干湾曲して図示されているが、実際は、平面状態で視ると略直線状となる。
【００７４】
実施の形態６に係る蔓性ミニバラの鉢物は、三対の小容器２０間を掛け渡す蔓性ミニバラ１０により独特の意匠的効果を発揮することができると共に、その内部収容空間に収容した意匠部材としての鳥の置物５１０により、更に、独特の意匠的効果を付加することができる。また、収容する意匠部材の数や種類を適宜選択して簡単に置き換えることができ、全体の意匠を容易かつ簡便に変更して、多種多彩な意匠的効果を発揮することができる。加えて、小容器２０を三対として心棒４０を対応する３本とし、３本の心棒４０により蔓性ミニバラ１０を誘引支持したため、心棒４０及び蔓性ミニバラ１０により、鳥かご状の収容空間を内部に形成することができ、一層独特の意匠的効果を発揮することができる。よって、かかる鳥かご状の収容空間に鳥の置物５１０等の意匠部材を配置することにより、鳥かご状の装飾品として具体化する等、多彩な意匠に具現化することができる。なお、実施の形態６は、小容器２０を三対以上設け、心棒４０をその半数の３本以上設けて実施することができ、その数を増加すれば、より鳥かご形状に近似した形状とすることができる。
【００７５】
変更例
ところで、本発明は、上記蔓性ミニバラの栽培方法を利用して、以下に示すように、蔓性ミニバラの装飾品に具体化することもできる。具体的には、本発明に係る蔓性ミニバラの装飾品は、複数の栽培位置にそれぞれ植え付けた蔓性ミニバラと、前記複数の栽培位置間を掛け渡すよう前記複数の栽培位置間に一体的に取付けられ、前記複数の栽培位置にそれぞれ植え付けた複数の蔓性ミニバラを、それらが一体となって前記複数の栽培位置間を掛け渡す所定の二次元形状または三次元形状からなる意匠形状を形成するよう誘引支持する支持体とを備えるよう構成することができる。ここで、前記複数の栽培位置は、栽培地の用土の離間した複数の地点とすることもできる。或いは、前記複数の栽培位置は、大容器中の用土における離間した複数の地点とすることもできる。或いは、前記複数の栽培位置は、別個に設けた対応する複数の小容器中の用土のそれぞれの任意位置とすることもできる。即ち、この実施の形態の場合、実施の形態１のように大容器中に小容器を収容し、この小容器に蔓性ミニバラを植え付けた構成とすることもでき、大容器なしに小容器にのみ蔓性ミニバラを植えつけた構成とすることもでき、或いは、花壇の用土等、大容器や小容器以外の用土に直接蔓性ミニバラを植え付けた構成とすることもできる。
【００７６】
また、本発明に係る蔓性ミニバラの装飾品は、複数の小容器と、前記複数の小容器にそれぞれ植え付けた蔓性ミニバラと、前記複数の小容器間を掛け渡すよう前記複数の小容器間に一体的に取付けられ、前記複数の小容器に植え付けた蔓性ミニバラを、それらが一体となって前記複数の小容器間を掛け渡す所定の二次元形状または三次元形状からなる意匠形状を形成するよう誘引支持する支持体とを備えるよう構成することもできる。ここで、小容器に植えつけて栽培した後、その小容器を蔓性ミニバラから取り外し、蔓性ミニバラを別の容器（大容器）等に移植（植え替え）してもよい。更に、この場合、前記支持体により前記複数の小容器間を掛け渡す所定の二次元形状または三次元形状からなる意匠形状を形成するよう誘引支持された前記複数の蔓性ミニバラから、前記小容器を取外し、前記複数の蔓性ミニバラを別の用土に植え替えすることもできる。ここで、前記別の用土は、大容器中の用土とすることもでき、庭の花壇等に設けた用土とすることもできる。
【図面の簡単な説明】
【００７７】
【図１】図１は本発明の実施の形態1に係る蔓性ミニバラの鉢物を示す斜視図である。
【図２】図２は実施の形態１に係る蔓性ミニバラの栽培方法の挿し木工程を示す斜視図である。
【図３】図３は実施の形態１に係る蔓性ミニバラの栽培方法の育苗工程を示す斜視図である。
【図４】図４は実施の形態１に係る蔓性ミニバラの栽培方法の誘引工程を示す斜視図である。
【図５】図５は実施の形態１に係る蔓性ミニバラの栽培方法の花芽形成工程を示す平面図である。
【図６】図６は実施の形態１に係る蔓性ミニバラの栽培方法の開花工程後を示す正面図である。
【図７】図７は本発明の実施の形態２に係る蔓性ミニバラの鉢物を示す断面図である。
【図８】図８は本発明の実施の形態３に係る蔓性ミニバラの鉢物を示す正面図である。
【図９】図９は本発明の実施の形態４に係る蔓性ミニバラの鉢物を示す斜視図である。
【図１０】図１０は本発明の実施の形態４に係る蔓性ミニバラの鉢物の心棒と装飾品との関係を平面状態で視て示す説明図である。
【図１１】図１１は本発明の実施の形態５に係る蔓性ミニバラの鉢物の心棒と装飾品との関係を平面状態で視て示す説明図である。
【図１２】図１２は本発明の実施の形態６に係る蔓性ミニバラの鉢物の心棒と装飾品との関係を平面状態で視て示す説明図である。
【符号の説明】
【００７８】
１０，１０Ａ，１０Ｂ，１０Ｃ，１０Ｄ  蔓性ミニバラ
２０  小容器
２５  用土
３０，１３０  大容器
４０  心棒（支持体）
１１０  熊の置物（意匠部材）
２１０  トレリス（支持体）
３１０  花卉（第１の意匠部材）
３２０  鳥の置き物（第２の意匠部材）
４１０  花卉（意匠部材）
５１０  鳥の置物（意匠部材）
【図１】
2005168391.tif 000003
【図２】
2005168391.tif 000004
【図３】
2005168391.tif 000005
【図４】
2005168391.tif 000006
【図５】
2005168391.tif 000007
【図６】
2005168391.tif 000008
【図７】
2005168391.tif 000009
【図８】
2005168391.tif 000010
【図９】
2005168391.tif 000011
【図１０】
2005168391.tif 000012
【図１１】
2005168391.tif 000013
【図１２】
2005168391.tif 000014